(57)【特許請求の範囲】
【請求項１】
ターミナルが挿入されるコネクタハウジングと、
このコネクタハウジングに対して側方から取り付けられることにより前記ターミナルを挿入状態に保持するリテーナと、
前記コネクタハウジングにその周囲を囲むように一体成形したフード部とを備え、
このフード部の側面には、前記コネクタハウジングにおける前記リテーナの取付け領域と対応して開口され且つ開口縁が無端状に閉じている操作孔が形成されており、
前記リテーナが、前記操作孔を通すことによって前記フード部の外部から前記コネクタハウジングに取り付けられるようになっており、
前記コネクタハウジングに対し前記リテーナが前記ターミナルを挿入状態に保持するように取り付けられたときに、前記リテーナの外面と前記フード部の内周との間には相手側コネクタハウジングが前記リテーナに突き当たることなく嵌合することを許容する空間が形成されるようにしたことを特徴とするコネクタ。
【請求項２】
前記リテーナは、前記コネクタハウジングに対し、前記ターミナルの挿入を許容する仮係止位置と、前記ターミナルを挿入状態に保持する本係止位置とに取付け可能とされ、
前記リテーナが仮係止位置にあるときには、前記リテーナが前記コネクタハウジングの外面から突出し、その突出したリテーナに突き当たることによって相手側コネクタハウジングの嵌合が規制されるようになっているものにおいて、
仮係止位置にある前記リテーナが、前記フード部の内側に収容されるようにしたことを特徴とする請求項１記載のコネクタ。
【発明の詳細な説明】
【０００１】
【発明の属する技術分野】
本発明は、リテーナをコネクタハウジングに嵌め込むようにしたコネクタに関するものである。
【０００２】
【従来の技術及び解決しようとする課題】
従来、リテーナをコネクタハウジングの外面に沿って取り付けるようにしたコネクタとして特開平３−２０５７７０号に開示されているものがある。これは、図１１に示すように、コネクタハウジング１と、このコネクタハウジング１に対して仮係止位置と本係止位置とに選択的に取り付けられるＵ字形のリテーナ２とからなる。リテーナ２は、コネクタハウジング１の上面、側面及び下面に沿うように取り付けられる。コネクタハウジング１の上面にはキャビティ１Ａと連通する横長の開口１Ｂが設けられ、この開口１Ｂにおいては、リテーナ２の複数の係止突起２Ａが夫々対応する各キャビティ１Ａ内に突出するようになる（図１２を参照）。
ターミナル３の挿入はリテーナ２を仮係止した状態で行われるが、このとき係止突起２Ａはターミナル３の係止片３Ａと非干渉の位置にずれているため、ターミナル３の挿入に支障はない。ターミナル３が正規挿入された後、リテーナ３を仮係止位置から本係止位置へ向けて横方向（ターミナル３の挿入方向と直交する方向）にスライドさせると、係止突起２Ａが係止片３Ａに対して後方から係止する位置に移動し、ターミナル３の抜取り方向の移動を規制する。
もし、半挿入状態のターミナル３が存在する場合には、リテーナ２を本係止位置へ移動させようにしたときに係止突起２Ａが係止片３Ａと干渉するため、リテーナ２の本係止位置へのスライド操作をスムーズに行えなくなる。
即ち、リテーナ２の本係止位置への移動がスムーズに行えるか否かによって、ターミナル３の挿入状態を検出することができるようになっている。
ところが、上記コネクタにおいては、半挿入のターミナル３が存在する状態でリテーナ２を強い力で本係止位置へ押し込むと、係止突起２Ａが係止片３Ａに乗り上がることによりリテーナ２が拡開するように撓みつつ本係止位置へ移動してしまう場合がある。このようにリテーナ２が拡開撓みすると、半挿入のターミナル３を検出することができないばかりか、正規挿入されたターミナル３を抜取り規制状態に保持することもできなくなってしまうため、リテーナ２の拡開撓みを規制する手段が望まれていた。
【０００３】
また、上記のコネクタとは別に、コネクタハウジングと、このコネクタハウジングに対して横から嵌め込まれるＵ字形のリテーナと、コネクタハウジングにおけるリテーナの嵌め込み部分を包囲するフード部とを備えたコネクタ（図示せず）が知られている。
このコネクタでは、フード部の外側からリテーナを直接コネクタハウジングに嵌めることは不可能なので、コネクタハウジングとフード部とを別部品とし、コネクタハウジングにリテーナを取り付けた後にコネクタハウジングにフード部を組み付ける構造となっている。
しかし、このコネクタにおいては、部品点数が多くなるだけでなく、部品点数増にともなって組付け工数も多くなるため、コストアップを招くという問題があった。
【０００４】
本発明は上記事情に鑑みて創案されたものであり、部品点数及び工数の削減を図ることを目的としている。
【０００５】
【課題を解決するための手段】
請求項１の発明は、ターミナルが挿入されるコネクタハウジングと、このコネクタハウジングに対して側方から取り付けられることにより前記ターミナルを挿入状態に保持するリテーナと、前記コネクタハウジングにその周囲を囲むように一体成形したフード部とを備え、このフード部の側面には、前記コネクタハウジングにおける前記リテーナの取付け領域と対応して開口され且つ開口縁が無端状に閉じている操作孔が形成されており、前記リテーナが、前記操作孔を通すことによって前記フード部の外部から前記コネクタハウジングに取り付けられるようになっており、前記コネクタハウジングに対し前記リテーナが前記ターミナルを挿入状態に保持するように取り付けられたときに、前記リテーナの外面と前記フード部の内周との間には相手側コネクタハウジングが前記リテーナに突き当たることなく嵌合することを許容する空間が形成されるようにしたところに特徴を有する。
【０００７】
請求項２の発明は、請求項１の発明において、前記リテーナは、前記コネクタハウジングに対し、前記ターミナルの挿入を許容する仮係止位置と、前記ターミナルを挿入状態に保持する本係止位置とに取付け可能とされ、前記リテーナが仮係止位置にあるときには、前記リテーナが前記コネクタハウジングの外面から突出し、その突出したリテーナに突き当たることによって相手側コネクタハウジングの嵌合が規制されるようになっているものにおいて、仮係止位置にある前記リテーナが、前記フード部の内側に収容されるようにしたところに特徴を有する。
【０００８】
【発明の作用及び効果】
請求項１の発明においては、リテーナはフード部の外側から操作孔を通すことによってフード部内のコネクタハウジングに取り付けることができる。コネクタハウジングとフード部を別部品にする必要がないから、部品点数が少なくて済むとともに組付け工数が少なくて作業性に優れている。
【００１０】
【発明の実施の形態】
＜実施形態１＞
以下、本発明を具体化した実施形態１を図１乃至図７を参照して説明する。
本実施形態のコネクタは、雌ターミナル２０が挿入されるコネクタハウジング１０と、このコネクタハウジング１０に取り付けられて雌ターミナル２０を挿入状態に保持するためのリテーナ３０とを備えて構成される。
【００１１】
雌ターミナル２０は、方形の筒部２１と電線固着部２２を前後に連ねて一体成形してなり、筒部２１の上面には切り起こしによって斜め後方へ片持ち状に突出するランス２３が形成され、筒部２１の下面には二次係止突起２４が叩き出しによって形成されている。
コネクタハウジング１０内には、上下２段に分かれて各段２室ずつ合計４室のキャビティ１１が形成されており、各キャビティ１１にはその後方の開口から雌ターミナル２０が挿入される。キャビティ１１の天井面には一次係止突起１２が形成されている。この一次係止突起１２には雌ターミナル２０が正規挿入されたときにランス２３が係止され、もって雌ターミナル２０が一次係止状態となって抜取り方向への移動を規制される。
【００１２】
コネクタハウジング１０の上面には、外面側の開口幅を内側の開口幅よりも狭くしたアリ溝１３が左右方向（雌ターミナル２０の挿入方向と直交する方向）に形成されている。このアリ溝１３には後述するリテーナ３０の嵌合突部３５がスライド自由に係合されるようになっている。同じくコネクタハウジング１０の上面には、前後方向に延びる仮係止溝１４と本係止溝１５が互いに左右方向にずれて形成されている。この仮係止溝１４と本係止溝１５にはリテーナ３０の係止爪３６が係止されるようになっている。
【００１３】
コネクタハウジング１０には、その上段のキャビティ１１と下段のキャビティ１１との間を左右方向に貫通するようにリテーナ取付孔１６が形成されている。リテーナ取付孔１６の上部は、上段のキャビティ１１に対してその下部を横切るように連通しており、雌ターミナル２０の二次係止突起２４はリテーナ取付孔１６の上部を横切るように通過する。かかるリテーナ取付孔１６にはリテーナ３０の中間板３３がガタつきなく嵌入されるようになっている。
【００１４】
コネクタハウジング１０の下面においては下段のキャビティ１１の前側領域が開口しており、雌ターミナル２０の一次係止突起１２はその開口からコネクタハウジング１０の下面側に露出した状態で移動するようになっている。この開口領域の後部には、リテーナ３０の下面板３４が開口を塞ぐように取り付けられる。キャビティ１１の開口領域よりも後方には、外面側の開口幅を内側の開口幅よりも狭くした逆台形状断面のアリ溝（本発明の構成要件である変位規制手段）１７が左右方向に形成されている。このアリ溝１７には、後述するリテーナ３０の嵌合突部（本発明の構成要件である変位規制手段）４０がスライド自由に係合されるようになっている。
【００１５】
また、コネクタハウジング１０には、その周囲を全周に亘って囲むフード部１８が一体に形成されている。このフード部１８の正面から視て左側（図２及び図５の左側）の側面には方形に開口する操作孔１９が形成されている。この操作孔１９は、コネクタハウジング１０の側面にけるリテーナ３０の取付け領域に対応して開口しており、リテーナ３０はこの操作孔１９を通すことによってフード部１８の外部から直接コネクタハウジング１０に取り付けられるようになっている。また、操作孔１９の開口縁は、フード部１８の前端縁には開放されておらず、全周に亘って閉じた状態となっており、これによって、フード部１８の前端縁は全周に亘って連続した状態となっている。
【００１６】
リテーナ３０は、側板３１と、この側板３１の上端、中間高さ及び下端から、夫々、図２及び図５の右方向へ片持ち状に延出する上面板３２、中間板３３及び下面板（本発明の構成要件である板状部）３４とから構成されている。
上面板３２の下面には、左右方向に延びてコネクタハウジング１０のアリ溝１３と係合可能な嵌合突部３５が形成されているとともに、コネクタハウジング１０の仮係止溝１４と本係止溝１５との選択的に係止可能な係止爪３６が形成されている。
【００１７】
中間板３３の上面には、左右一対の二次係止部３７が形成されているとともに、この両二次係止部３７の間に逃がし溝３８が形成されている。二次係止部３７は、上段のキャビティ１１に正規挿入された雌ターミナル２０の二次係止突起２４に後方から係止することによりその雌ターミナル２０を二次係止状態として抜き取り方向への移動を規制する。逃がし溝３８は、リテーナ３０を仮係止した状態で雌ターミナル２０を挿入するときに二次係止突起２４が中間板３３と干渉せずに通過できるようにする。
【００１８】
さらに、逃がし溝３８の左側の前端縁と、中間板３３の先端における前端縁には、夫々、誘導面３９が形成されている。誘導面３９は、前後左右双方向に対して斜め方向を向いており、正規挿入位置の直前位置まで挿入されている雌ターミナル２０が存在する場合には、リテーナ３０の仮係止位置から本係止位置への移動に伴って誘導面３９が二次係止突起２４に係合してその雌ターミナル２０を正規挿入位置まで押動するようになっている。
【００１９】
下面板３４の上面には、コネクタハウジング１０のアリ溝１７に対してスライド自由に係合される嵌合突部４０が左右方向に形成されている。嵌合突部４０は、その上側の幅が下側の幅よりも広くなった逆台形断面となっている。したがって、この嵌合突部４０がアリ溝１７に係合した状態では、嵌合突部４０がアリ溝１７に対して下方へ外れる方向に変位することが規制され、ひいては下面板３４がコネクタハウジング１０の下面から下方へ離間するように変位することが規制されている。
同じく下面板３４の上面には、中間板３３と同様に、左右一対の二次係止部４１と逃がし溝４２が形成されているとともに、逃がし溝４２の左側の前端縁と、下面板３４の先端における前端縁には、夫々、誘導面４３が形成されている。
【００２０】
かかるリテーナ３０は、コネクタハウジング１０に対して仮係止位置と本係止位置とに選択的に取り付けられる。取付け状態では上面板３２と下面板３４が夫々コネクタハウジング１０の上面と下面に沿い、中間板３３がリテーナ取付孔１６に串刺し状に嵌入されるようになる。また、仮係止状態ではリテーナ３０の側板３１がコネクタハウジング１０の側面から離間するが、本係止状態では側板３１とコネクタハウジング１０の側面に密着するようになる。リテーナ３０が仮係止状態のままで相手側コネクタハウジング（図示せず）を嵌合しようとすると、その相手側コネクタハウジングの前端縁が側板３１に突き当たるため、嵌合が不能となるが、リテーナ３０が本係止状態であれば相手側コネクタハウジングの嵌合が可能となる。即ち、相手側コネクタハウジングの嵌合の可否によってリテーナ３０の係止状態を判別することができる。
【００２１】
次に、本実施形態の作用について説明する。
本実施形態のコネクタの組付けに際しては、まず、フード部１８の外側から操作孔１９を通してリテーナ３０をコネクタハウジング１０に仮係止する。このとき、図３に示すようにコネクタハウジング１０のアリ溝１３、１７にリテーナ３０の嵌合突部３５、４０を係合させる。すると、リテーナ３０はアリ溝１３、１７にガイドされるため、前後に遊動することなく確実に所定の経路に沿って仮係止位置まで移動するようになる。そして、図２に示すようにリテーナ３０の係止爪３６がコネクタハウジング１０の仮係止溝１４に係止されることにより、リテーナ３０は仮係止状態に保持される。仮係止状態では、図２に示すように、逃がし溝３８、４２が同図左側に示す雌ターミナル２０の二次係止突起２４の通過経路上に位置するとともに、中間板３３と下面板３４の先端が同図右側に示す雌ターミナル２０の二次係止突起２４の通過経路の左側に沿うように位置している。
【００２２】
かかる状態で雌ターミナル２０をキャビティ１１内に挿入すると、雌ターミナル２０の二次係止突起２４がリテーナ３０と干渉することなく円滑に挿入動作が行われる。雌ターミナル２０が正規挿入位置に達すると、図６に示すように、ランス２３が一次係止突起１２に対して前方から係止するため、雌ターミナル２０が一次係止状態となり、抜取り方向への移動が規制される。
雌ターミナル２０が正規挿入位置まで挿入したら、リテーナ３０を仮係止位置から本係止位置に移動させる。この操作は、フード部１８の操作孔１９に指を差し入れて側板３１を押すことによって行う。このときも、アリ溝１３、１７と嵌合突部３５、４０の係合によりリテーナ３０が前後に遊動することなく確実に所定の経路に沿って移動する。リテーナ３０の移動に伴い、上面板３２の嵌合突部３５から離れた部分が僅かに上方へ撓みつつ、係止爪３６が仮係止溝１４から外れて本係止溝１５に係合され、リテーナ３０が本係止位置に保持される。この状態では、図６に示すように、二次係止部３７、４１が二次係止突起２４に対して後方から係止するため、雌ターミナル２０が二次係止状態となり、抜取り方向への移動を規制される。以上により、本実施形態鋸の組付けが完了するから、あとは相手側コネクタハウジングを嵌合すればよい。
【００２３】
次に、上記雌ターミナル２０の挿入において全ての雌ターミナル２０が正規挿入位置に達していない場合について説明する。
このときの半挿入状態の雌ターミナル２０の位置が正規挿入位置に極めて近い場合には、リテーナ３０を仮係止位置から本係止位置へ移動させるときに、リテーナ３０の誘導面３９、４３が半挿入位置にある雌ターミナル２０の二次係止突起２４の後端角縁に係合し、リテーナ３０を押し込む力が誘導面３９、４３の傾斜によって二次係止突起２４を前方へ押す力となり、これによって半挿入の雌ターミナル２０が正規挿入位置まで押動される。
【００２４】
しかし、半挿入の雌ターミナル２０の位置が、例えば図４に示すように正規挿入位置から遠くて誘導面３９、４３が二次係止突起２４の後端角縁に係止できない場合には、リテーナ３０を本係止位置へ押し込もうとしても、二次係止部３７が二次係止突起２４に対して側方から突き当たることになるため、リテーナ３０は本係止位置へ移動させることはできない。即ち、リテーナ３０を本係止位置へ押し込めないということにより、半挿入状態の雌ターミナル２０の存在が明らかになるのである。また、この時点で半挿入の雌ターミナル２０の存在に気付かずに相手側コネクタハウジングの嵌合を行っても、リテーナ３０が本係止位置よりも側方へ突出しているため、相手側コネクタハウジングがリテーナ３０に突き当たって嵌合が不能となる。したがって、この時点でリテーナ３０が仮係止位置にあること、即ち半挿入の雌ターミナル２０が存在することが判る。
【００２５】
さて、半挿入の雌ターミナル２０が下段のキャビティ１１に存在する場合において、リテーナ３０を無理矢理本係止位置へ押し込もうとした場合、もしリテーナ３０の下面板３４が下方へ撓んでしまうと二次係止部４１が二次係止突起２４を乗り越えつつ本係止位置へ移動していまうことになる。しかし、本実施形態では、コネクタハウジング１０のアリ溝１７とリテーナ３０の嵌合突部４０が係合していることによって下面板３４の下方への変位が規制されているため、二次係止部４１が二次係止突起２４を乗り越えていくことはできないようになっている。したがって、下段のキャビティ１１に半挿入の雌ターミナル２０が存在している場合には、リテーナ３０の本係止位置への移動が確実に阻止され、もって半挿入の雌ターミナル２０の検知が確実に行われる。
【００２６】
尚、上段のキャビティ１１に挿入される雌ターミナル２０の二次係止突起２４と係合する中間板３３は、リテーナ取付孔１６内で上下方向の遊動が規制された状態となっているため、この中間板３３の二次係止部３７が二次係止突起２４を乗り越えることはできないようになっている。したがって、不能半挿入の雌ターミナル２０が上段のキャビティ１１に存在している場合にも、リテーナ３０の本係止位置への移動が確実に阻止され、その半挿入の雌ターミナル２０の存在が確実に判るようになっている。
【００２７】
上述のように、本実施形態においては、台形断面のアリ溝１７と嵌合突部４０との係合によって下面板３４がコネクタハウジング１０の下面から離間するように撓むことを確実に防止することができ、これにより高い信頼性をもって雌ターミナル２０の挿入状態を検知することができる。
また、リテーナ３０はアリ溝１３、１７と嵌合突部３５、４０との係合によって前後方向や上下方向（リテーナ３０の取付け方向に対して直交する方向）への遊動が規制されて所定経路に沿って移動するようになっているから、取付けの操作性に優れているだけでなく、係止爪３６を仮係止溝１４と本係止溝１５に確実に係止させることができる。
【００２８】
さらに、本実施形態ではフード部１８の側面にリテーナ３０の貫通を可能とした操作孔１９を設けることにより、フード部１８の外側方からリテーナ３０をコネクタハウジング１０に直接取り付けることができるようになっている。したがって、コネクタハウジングとフード部とを別部品とし、コネクタハウジングにリテーナを取り付けた後にコネクタハウジングにフード部を組み付ける構造としたものに比べると、部品点数と組付け工数が少なくなっている。
尚、リテーナ３０を仮係止した状態では、図２に示すように、リテーナ３０がフード部１８の内側に位置しているから、例えば運搬中などにフード部１８の側方から他部材が当たってもその他部材がリテーナ３０と干渉する虞がなく、したがって、リテーナ３０が仮係止位置から本係止位置へ不用意に移動することが防止されている。
【００２９】
また、フード部に操作孔を設けずにリテーナを一旦フード部の前面からコネクタハウジングに仮係止した後に横へ移動させて本係止させるものでは、フード部内が狭いためにリテーナを横移動させるための治具が必要となるのに対し、本実施形態では、操作孔１９から指を差し入れてリテーナ３０を横へ押し込むことができるので、治具が不要となっている。
尚、図１０に示す従来例では、フード部４に指を差し入れるための切欠部５を形成することによって治具を用いないようにしているが、切欠部５はフード部４の前端縁に開放されているためにフード部４の強度低下を招いているばかりか、運搬中などにフード部４の斜め前方からの他部材の干渉によりリテーナ２が仮係止位置から本係止位置へ不用意に移動してしまう虞がある。
これに対して、操作孔１９の開口縁を閉じた構成としている本実施形態では、フード部１８の前端縁が全周に亘ってつながった状態となっているため、フード部１８の強度が損なわれずに済んでいる。しかも、他部材がフード部１８に対して斜め前方から当たってもその他部材がリテーナ３０と干渉する虞がないため、リテーナが不用意に仮係止位置から本係止位置に移動してしまうことがない。
【００３０】
さらに、リテーナを仮係止せずに直ちに本係止することを想定した場合において、リテーナを一旦フード部の前面から嵌めた後に横に移動させるものでは方向を変えたツーアクションの操作が必要であるが、これに対して、本実施形態ではリテーナ３０の取付け時の操作方向が横方向だけとなっているため、ワンアクションの操作で済み、操作性に優れている。
また、リテーナをフード部の前面の開口からコネクタハウジングに仮係止した後に横方向にスライドさせて本係止するタイプのものでは、コネクタハウジングとフード部との間が狭いためにリテーナの横方向への移動ストロークを大きくとれないという事情があるのに対し、本実施形態ではこのような制約がない。
したがって、リテーナ３０の仮係止状態の位置を変更して例えばリテーナ３０が操作孔１９からフード部１８の外へ突出するようにしておけば、仮係止位置から本係止位置への移動ストロークを大きく確保することができる。移動ストロークが大きくなると、半挿入の雌ターミナル２０を正規方向へ押動するための誘導面３９、４３の傾斜角度をリテーナ３０の押込み方向に対して小さく設定することができ、これにより、ターミナルを正規位置方向へ押動するときのリテーナ３０の操作抵抗が小さくて済むようになり、操作性の向上を図ることができる。
【００３１】
＜実施形態２乃至実施形態４＞
次に、本発明を具体化した実施形態２乃至実施形態４を図８乃至図１０を参照して説明する。
実施形態２乃至実施形態４は、上記実施形態１における変位規制手段の構成を異ならせたものである。その他の構成については上記実施形態１と同じであるため、同じ構成については、同一符号を付し、構造、作用及び効果の説明は省略する。
図８に示す実施形態２の変位規制手段は、コネクタハウジング１０の下面に形成した溝５１と、リテーナ３０の下面板３４に形成した嵌合突部５２とからなる。この溝５１と嵌合突部５２は、そのコネクタハウジング１０の下面側の幅がキャビティ１１側（図の上側）の幅よりも段差状に狭くなっており、全体として幅を広げたＴ字形をなしている。
【００３２】
図９に示す実施形態３の変位規制手段は、コネクタハウジング１０の下面に形成した溝５３と、リテーナ３０の下面板３４に形成した嵌合突部５４とからなる。この溝５３と嵌合突部５４の断面は、１８０°よりも大きい角度の範囲に亘る円弧形状をなしている。
図１０に示す実施形態４の変位規制手段は、コネクタハウジング１０の下面に形成したＬ字形をなす嵌合突部５５とこの嵌合突部５５によってコネクタハウジング１０の下面との間に形成された溝５６、及びリテーナ３０の下面板３４に形成した逆Ｌ字形をなす嵌合突部５７と、この嵌合突部５７によって下面板３４との間に形成された溝５８により構成される。
コネクタハウジング１０の嵌合突部５５の先端部はリテーナ３０の溝５８に対して後方（図１０の右方向）から係合され、リテーナ３０の嵌合突部５７の先端部はコネクタハウジング１０の溝５６に前方から係合されている。この変形規制手段は、双方の嵌合突部５５，５７が前後方向（図１０の左右方向）に離脱し得る構造となっているが、中間板３３のリテーナ取付孔１６への緊密な嵌合によりリテーナ３０のコネクタハウジング１０に対する前後方向の遊動が阻止されているので、両嵌合突部５５，５７が離脱する虞はない。
＜他の実施形態＞
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。
【００３３】
（１）上記実施形態の変位規制手段ではアリ溝１７をコネクタハウジング１０に設けるとともに嵌合突部４０をリテーナ３０に設けた場合について説明したが、本発明によれば、アリ溝をリテーナに設けるとともに嵌合突部をコネクタハウジングに設ける構成としてもよい。
（２）上記実施形態ではアリ溝１３、１７が上方と下方（リテーナ３０の上面板３２と下面板３４とに対向する方向）に開口している場合について説明したが、本発明によれば、アリ溝を図２及び図５における横方向へ開口させることもできる。
【００３４】
（３）上記実施形態ではリテーナ３０の上面板３２と下面板３４の双方が変位規制されている場合について説明したが、請求項１乃至請求項３にかかる発明によれば、雌ターミナル２０と直接係合しない上面板３２については変位規制しない構成とすることもできる。
（４）上記実施形態ではコネクタハウジングが雌ターミナル２０を備える雌コネクタハウジング１０である場合について説明したが、本発明は、コネクタハウジングが雄ターミナルを備えた雄コネクタハウジングである場合にも適用することができる。
【００３５】
（５）請求項１及び請求項２にかかる発明は、フード部１８を設けないコネクタにも適用できる。
（６）請求項１乃至請求項３にかかる発明は、操作孔の形成されていないフード部を備えたものであって、リテーナを一旦前面の開口からフード部内に入れて仮係止した後に横方向に移動させて本係止する構成としたものにも適用することができる。
（７）請求項１乃至請求項３にかかる発明は、リテーナの取付け方向がターミナルの挿入方向と直角な方向である場合に限らず、ターミナルの挿抜方向に沿った方向や、ターミナルの挿入方向に対して斜めの方向である場合にも適用することができる。
【００３６】
（８）請求項４にかかる発明は、変位規制手段であるところのアリ溝１７と嵌合突部４０を備えていないものにも適用することができる。
（９）請求項４にかかる発明は、上記実施形態のようにリテーナ３０がコネクタハウジング１０の外面に沿う上面板３２と下面板３４を備えている場合に限らず、リテーナがコネクタハウジングに串刺し状に取り付けられる場合にも適用することができる。
【図面の簡単な説明】
【図１】本発明の実施形態１においてコネクタハウジングから雌ターミナルとリテーナを外した状態をあらわす斜視図
【図２】実施形態１においてリテーナを仮係止した状態をあらわす横断面図
【図３】実施形態１においてリテーナを仮係止した状態で雌ターミナルを挿入している状態をあらわす縦断面図
【図４】実施形態１においてリテーナを仮係止した状態で雌ターミナルを挿入している状態をあらわす水平断面図
【図５】実施形態１においてリテーナを本係止した状態をあらわす横断面図
【図６】実施形態１において雌ターミナルを正規挿入するとともにリテーナを本係止した状態をあらわす縦断面図
【図７】実施形態１において雌ターミナルを正規挿入するとともにリテーナを本係止した状態をあらわす水平断面図
【図８】実施形態２の変位規制手段をあらわす断面図
【図９】実施形態３の変位規制手段をあらわす断面図
【図１０】実施形態４の変位規制手段をあらわす断面図
【図１１】従来例においてコネクタハウジングからリテーナを外した状態をあらわす斜視図
【図１２】従来例においてターミナルを正規挿入するとともにリテーナを取り付けた状態をあらわす縦断面図
【符号の説明】
１０…コネクタハウジング
１７…アリ溝（変位規制手段）
１８…フード部
１９…操作孔
２０…雌ターミナル
３０…リテーナ
３４…下面板（板状部）
４０…嵌合突部（変位規制手段）
５１、５３、５６、５８…溝（変位規制手段）
５２、５４、５５、５７…嵌合突部（変位規制手段）
【図１】
0003544068.tif 000002
【図２】
0003544068.tif 000003
【図３】
0003544068.tif 000004
【図４】
0003544068.tif 000005
【図５】
0003544068.tif 000006
【図６】
0003544068.tif 000007
【図７】
0003544068.tif 000008
【図８】
0003544068.tif 000009
【図９】
0003544068.tif 000010
【図１０】
0003544068.tif 000011
【図１１】
0003544068.tif 000012
【図１２】
0003544068.tif 000013